【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
マイクロ波燃焼システムであって、
マイクロ波源と、
内燃機関と同期したトリガパルスを受信してトリガパルスに応じて制御パルスを出力する第１のパルス発生器と、
電源とマイクロ波源との間に結合されると共に第１のパルス発生器にも接続されて制御パルスを受信し、制御パルスに応答して、十分な電圧の電圧パルスをマイクロ波源に与える第２のパルス発生器と、
前記パルスがマイクロ波源に供給された時に、マイクロ波源からマイクロ波エネルギを受けるように結合されたプラグと
を備えることを特徴とするシステム。
【請求項２】
第１のパルス発生器は、スパークプラグワイヤに結合されていることを特徴とする請求項１に記載のシステム。
【請求項３】
第１のパルス発生器は、スパークプラグワイヤに与えられた高電圧過渡スパーク信号の立下り端で制御パルスを供給する請求項２に記載のシステム。
【請求項４】
トリガ信号は、エンジン制御モジュールによって与えられる請求項１に記載のシステム。
【請求項５】
第２のパルス発生器は、高電圧パルス発生器を含む請求項１に記載のシステム。
【請求項６】
マイクロ波源とプラグとの間に結合されたサーキュレータを更に備える請求項１に記載のシステム。
【請求項７】
マイクロ波源とプラグとの間に結合されて、順方向及び逆方向伝播マイクロ波エネルギをモニタする双方向性結合器を更に備える請求項１に記載のシステム。
【請求項８】
マイクロ波源とプラグとの間に結合されたチューナを更に備える請求項１に記載のシステム。
【請求項９】
マイクロ波エネルギは、導波管によって、マイクロ波源とプラグとの間に結合される請求項１に記載のシステム。
【請求項１０】
プラグに結合され、マイクロ波エネルギを同軸ケーブルに結合する導波管／同軸遷移部を更に備える請求項９に記載のシステム。
【請求項１１】
マイクロ波源は、同軸ケーブルによって、プラグに結合される請求項１に記載のシステム。
【請求項１２】
マイクロ波源は、同軸導波管によって、プラグに結合される請求項１に記載のシステム。
【請求項１３】
マイクロ波源は、プラグに直接結合されると共に、プラグの一部である請求項１に記載のシステム。
【請求項１４】
高電圧パルス発生器は、誘導コイルを含む請求項１に記載のシステム。
【請求項１５】
プラグは、マイクロ波フィードと、接地ラインとを含む請求項１に記載のシステム。
【請求項１６】
接地ラインは、中央開口部を持つ環状金属部材からなる請求項１５に記載のシステム。
【請求項１７】
環状金属部材は、中央開口部を中心として分布された一連の穴を有する請求項１６に記載のシステム。
【請求項１８】
環状金属部材の中央開口部は、マイクロ波フィード付近に非円形開口部を形成する形状である請求項１６に記載のシステム。
【請求項１９】
接地ラインは、ワイヤメッシュからなる請求項１５に記載のシステム。
【請求項２０】
接地ラインは、マイクロ波フィードの回りに分布された１以上の先端からなる請求項１５に記載のシステム。
【請求項２１】
１以上の先端は、マイクロ波フィードの回りに対称的に分布されている請求項２０に記載のシステム。
【請求項２２】
プラグは、マイクロ波フィードと接地との間に結合されたマイクロ波アンテナを含む請求項１に記載のシステム。
【請求項２３】
マイクロ波源は、マグネトロンを含む請求項１に記載のシステム。
【請求項２４】
マイクロ波源は、クライストロンを含む請求項１に記載のシステム。
【請求項２５】
マイクロ波源は、進行波管を含む請求項１に記載のシステム。
【請求項２６】
マイクロ波源は、固体デバイスを含む請求項１に記載のシステム。
【請求項２７】
プラグは、この内燃機関内のシリンダに結合されている請求項１に記載のシステム。
【請求項２８】
マイクロ波燃焼システムであって、
マイクロ波源と、
スパークプラグワイヤに接続され制御パルスを出力する第１のパルス発生器と、
電源とマイクロ波源との間に接続されると共に第１のパルス発生器にも接続されて制御パルスを受信し、制御パルスに応答して十分な電圧の電圧パルスをマイクロ波源に与える第２のパルス発生器と、
電圧パルスがマイクロ波源に供給されたときに、マイクロ波源からマイクロ波エネルギを受けるように結合されたプラグと、を備え、
第１のパルス発生器は、スパークプラグワイヤに与えられた高電圧過渡スパーク信号の立下り端で制御パルスを供給する、ことを特徴とするシステム。
【請求項２９】
マイクロ波燃焼システムであって、
マイクロ波源と、
電源とマイクロ波源との間に接続され制御パルスに応答して十分な電圧の電圧パルスをマイクロ波源に供給する第１のパルス発生器と、
電圧パルスがマイクロ波源に供給されたときに、マイクロ波源からマイクロ波エネルギを受けるように結合されたプラグと、
マイクロ波源とプラグとの間に接続されて双方向のマイクロ波のエネルギをモニタする双方向カップラを備え、ことを特徴とするシステム。
【請求項３０】
マイクロ波燃焼システムであって、
マイクロ波源と、
電源とマイクロ波源との間に接続され制御パルスに応答して十分な電圧の電圧パルスをマイクロ波源に供給するパルス発生器と、
マイクロ波給電線と接地線を有し、電圧パルスがマイクロ波源に供給されたときに、マイクロ波源からマイクロ波エネルギを受けるように結合されたプラグと、を備え、
接地線が、開口部の周りに一連の孔が分布する管状金属部材からなる、ことを特徴とするシステム。
【請求項３１】
マイクロ波燃焼システムであって、
マイクロ波源と、
電源とマイクロ波源との間に接続され制御パルスに応答して十分な電圧の電圧パルスをマイクロ波源に供給するパルス発生器と、
マイクロ波給電線と接地線を有し、電圧パルスがマイクロ波源に供給されたときに、マイクロ波源からマイクロ波エネルギを受けるように結合されたプラグと、を備え、
接地線が、給電線の周りに分布する１または複数のチップを有する、ことを特徴とするシステム。
【請求項３２】
プラグが、内燃機関のシリンダ内の燃料空気混合気に点火するために、マイクロ波源からマイクロ波エネルギのみを受信することを特徴とする、請求項２７に記載のシステム。
【手続補正２】
【補正対象書類名】明細書
【補正対象項目名】００２７
【補正方法】変更
【補正の内容】
【００２７】
一般に、本発明の実施形態に係るマイクロ波燃焼システムは、図１Ａのテキスト例に示された要素、特にマイクロ波部品の多くを必要としない。図２は、提案されたプラグ２００を描いている。このプラグは、図１Ａに示されたマイクロ波源１０５の代わりに、直接結合され得る。そのようなプラグは、パルス発生器１０２、電源１０３、パルス発生器１０４、及びフィラメント電圧源１０６と共に、従来のエンジンのスパークプラグと直接置換できる。図２に示されているように、プラグ２００は、マイクロ波源２０１と、可溶性リンク２０２と、マイクロ波フィード２０５と、接地電極又はライン２０６とを有する。プラグ２００は、ネジ部２０４によって、エンジンブロック内に、ベース２０３がシリンダヘッドの頂部と面一になるまで螺入される。フィラメント電源１０６を直接マイクロ波源２０１に与えることができる。更に、パルス発生器１０４からのパルスをマイクロ波源２０１に与えることができる。いくつかの実施形態では、マイクロ波源２０１を取り外して、可溶性リンク２０２を露出させ、この可溶性リンクを直接スパークプラグワイヤ１０１に結合することができる。動作時に、マイクロ波エネルギは、マイクロ波フィード２０５と接地ライン２０６との間のギャップから放射される。そのパルスが十分なマイクロ波エネルギを含んでいる場合、プラズマがギャップ中に励起される。いくつかの動作のモードでは、プラズマを励起しないマイクロ波パルスを利用して、容積１１６内に与えられる燃料混合気、例えば燃料空気混合気を、プラズマに点火するパルスが与えられる前に、予備励起することができる。そのような動作は、整形されたマイクロ波パルスのパルス列を用いて、容積１１６内に与えられた燃料混合気の燃焼を効率的且つクリーンに制御するように最適化される。